(57)【要約】      （修正有）【課題】ＬＥＤ光源からの光を均一に３６０度発光させることのできるリング状の薄型照明装置を提供する。【解決手段】上面に発光させる場合、発光面と平行な面をリング構造体の下面に設け、反射特性のある光学パターンは金型に加工されているものであり、射出成形などにより転写される。金型のパターンはエッチング、機械加工、レーザー加工などによるものであり、加工方法は限定されない。またＬＥＤ光源を入射させる部位は、発光体の端面（エッジ）であり、全て外周および内周の各々接線方向に延長させることを特徴とする。この入り口のパイプの長さは最小で円弧の外周と交わる部位として、最大は限定されない。内側に発光させる場合、発光面と平行な面をリング構造体の側面に設け、反射特性のある光学パターンを付設する。【選択図】図１
0003164552.tif 000002
【実用新案登録請求の範囲】
【請求項１】
ＬＥＤの光を３６０度均一に導光して発光させる照明装置であり、リング状発光体の一部にＬＥＤ光を入光させるための入り口が発光体の端面（エッジ）であり、リング状発光部位の外周および内周の各々接線方向に延長させることを特徴とする照明装置。
【請求項２】
入光したＬＥＤの光の発光方向を内側および斜め上面、上面など自在に制御するために、光学パターン設置面を発光方向と平行に持つことを特徴とする照明装置。
【請求項３】
ＬＥＤを導光体の側面に設置して、光を入射させる方式を用い、請求項２の光学パターンのレイアウトにより、厚さ１ｍｍ以下での３６０度発光を可能とすることを特徴とする照明装置。
【考案の詳細な説明】
【技術分野】
【０００１】
この考案は照明装置に関し、とくに時計用リングライト装飾兼照明装置に関する。
【背景技術】
【０００２】
これまで時計、特に腕時計の照明装置としてはアナログ針の場合、（１）針もしくは文字盤の目盛り部分への築光材塗装しての発光。または（２）バックライトもしくはＥＬ、（３）フロントライトの方式、（４）またはＬＥＤでの文字盤照射などである。デジタルの場合はバックライトもしくはフロントライトのみである。
特許文献１は、文字盤をリング状に周囲に設置させてそれ自体を拡散効果で発光させるものである。リング自体を照明装置としたものではない。
【先行技術文献】
【特許文献】
【０００３】
【特許文献１】実開平５−９２７８１号公報
【考案の概要】
【考案が解決しようとする課題】
【０００４】
上記（１）の場合視認性が悪く環境適合性が良くない。（２）の場合は針が背面からの光において影となる。（３）（４）の場合は面発光性が悪く十分な視認性を得られていない。
【０００５】
そこで本考案はＬＥＤ１個で３６０度リング状に均一に、リング内側、上側、斜め上側に発光させる薄型の照明装置を提供する。
【課題を解決するための手段】
【０００６】
上記の目的のため、リング状発光体の一部にＬＥＤ光を入射させるための入り口が発光体の端面（エッジ）であり、リング状発光部位の外周および内周の各々接線方向に延長させて設置されており、光学パターンのレイアウトにより、厚さ１ｍｍ以下での３６０度発光を可能とすることを特徴としている。
【０００７】
（作用）
入光したＬＥＤの光の発光方向を内側および斜め上面、上面など自在に制御するために、光学パターン設置面を発光方向と平行に持たせている。リングに均一に導かれたＬＥＤ光を内側、すなわち時計の文字盤方向へ向けて照射するのは照明としての用途が考えられる。また斜め上面に向けて照射する、もしくは上面に照射を制御する場合にはＬＥＤ装飾によるデザイン性の向上を目的とした用途が考えられる。
【考案の効果】
【０００８】
これまで時計、特に腕時計の照明装置として、特にアナログ針方式の場合にこれまでの発光方式とは異なり、視認性を損なわずに効率のよい時計表示部の照明装置を提供できる。また、発光方向を制御することで、照明用途以外にも、ＬＥＤ装飾としてのデザイン性の向上が可能となる。
【図面の簡単な説明】
【０００９】
【図１】本提案の実施例であり、基本構造の上面発光仕様のリング発光体図である。
【図２】リング内側発光仕様のリング発光体図である。
【図３】リング内側上面斜め方向への発光仕様のリング発光体図である。
【図４】リング内側および上面方向への発光仕様のリング発光体図である。
【図５】ＬＥＤ光源を入射させる入り口部位を最小としたリング発光体図である。
【図６】省スペースのリング発光体図である。
【考案を実施するための形態】
【実施例】
【００１０】
図１、２、３、４に示すように、リング状発光体の一部にＬＥＤ光を入射させるための入り口が発光体の端面（エッジ）であり、リング状発光部位の外周および内周の各々接線方向に延長させて設置している。
【００１１】
入光したＬＥＤの光の発光方向を内側および斜め上面、上面など自在に制御するために、光学パターン設置面を発光方向と平行に持たせている。リングに均一に導かれたＬＥＤ光を内側、すなわち時計の文字盤方向へ向けて照射するのは照明としての用途が考えられる。また斜め上面に向けて照射する、もしくは上面に照射を制御する場合にはＬＥＤ装飾によるデザイン性の向上を目的とした用途が考えられる。
【００１２】
またＬＥＤ光源を入射させる部位は図１の１ｃのように、発光体の端面（エッジ）であり、全て外周および内周の各々接線方向に延長させることを必須とするが、この入り口のパイプの長さは最小で円弧の外周と交わる部位として、最大は限定されない。
【００１３】
発光面と平行な面をリング構造体に設け、反射特性のある光学パターンを付設する。すなわち図１のように上面に発光させる場合にはリングの底面に反射特性の光学パターンを付設する。図２のようにリング内側に発光させる場合にはリング外周側面に光学パターンを付設する。図３のように斜め方向の発光場合にはやはり平行な発光面を設けて発光パターンを付設する。上記光学パターン面はそれぞれ組み合わせることにより、複合した発光方向（発光面）を有するリング発光体も可能である。
【００１４】
上記の反射面の光学パターンの加工方法は、エッチング、機械加工、レーザー加工などによるものであり、加工方法は限定されない。また樹脂へ直接加工を行っても良いが、生産性を考慮して、射出成形金型の表面に加工して、これを転写する方法を用いる。
【００１５】
ＬＥＤ光源を入射させる入り口部位が最小の場合は基本的には、図５のように円弧の外周と交わる部分までだが、図６のように省スペースの発光リングも可能である。すなわち入光するエッジが発光リングエリア内にまで及ぶ場合である。この場合、ＬＥＤの上面から漏れる光によりリング全体の均一性は損なわれるが、接線上のエッジ入光の法則が成り立つためリング発光が可能である。均一性よりも省スペース化を図る場合には有効的である。
【００１６】
ＬＥＤを背面に設置してＬＥＤ発光の配光を利用した直下タイプとは異なり、本考案の場合には、ＬＥＤを導光体の側面に設置して、光を入射させる方式を用いるため、光学パターンのレイアウトにより、自在に均一に発光させることが可能であり、厚さ１ｍｍ以下での３６０度発光を可能とする。
【産業上の利用可能性】
【００１７】
本考案は、時計の表示部を暗いところでも明るく見せるための照明としてだけでなく、デザイン的なＬＥＤ装飾要素を兼ねた照明装置に関するものである。
【符号の説明】
【００１８】
１ａ、２ａ、３ａ、３ｃ  発光面および発光パターン
１ｂ、２ｂ、３ｂ、３ｄ  発光照射方向
１ｃ  ＬＥＤ入射口
【図１】
0003164552.tif 000003
【図２】
0003164552.tif 000004
【図３】
0003164552.tif 000005
【図４】
0003164552.tif 000006
【図５】
0003164552.tif 000007
【図６】
0003164552.tif 000008
【手続補正書】
【提出日】平成22年9月30日(2010.9.30)
【手続補正１】
【補正対象書類名】実用新案登録請求の範囲
【補正対象項目名】全文
【補正方法】変更
【補正の内容】
【実用新案登録請求の範囲】
【請求項１】
ＬＥＤの光を３６０度均一に導光して発光させる照明装置であり、リング状発光体の一部にＬＥＤ光を入光させるための入り口が発光体の端面（エッジ）であり、リング状発光部位の外周および内周の各々接線方向に延長させることを特徴とする照明装置。
【請求項２】
入光したＬＥＤの光の発光方向を内側および斜め上面、上面など自在に制御するために、前記リング状発光体における発光面としての反射特性を有する光学パターン設置面を発光方向と垂直に持つことを特徴とする請求項１に記載の照明装置。
【請求項３】
ＬＥＤを導光体の側面に設置して、光を入射させる方式を用い、厚さ１ｍｍ以下での３６０度発光を可能とすることを特徴とする請求項２に記載の照明装置。